(57)【要約】【課題】端末装置側からの操作によって管理装置にその端末装置の管理情報を表示できるようにする。【解決手段】ネットワークＮに接続された複数台の端末装置１０と、これらの端末装置１０の管理用コンピュータ３０とを備えたネットワーク端末装置の管理プログラム１００であって、端末装置１０には、識別スイッチによるトリガ操作に基づいて、管理用コンピュータ３０が読み取り可能な端末識別信号を出力する制御部１６が設けられ、管理用コンピュータ３０には、管理プログラムの管理画面５０に、端末装置１０を特定する装置特定情報を取得して装置特定情報ＩＤを有する端末装置アイコン５２を一覧的に表示すると共に、トリガ操作が行われた端末装置１０に対応する端末装置アイコン５２の識別表示部５５を所定の点灯パターンに表示させるＣＰＵ３２とを備えるところに特徴を有する。【選択図】図１
2015197764.tif 000002
【特許請求の範囲】
【請求項１】
ネットワークに接続された複数台のネットワーク端末装置と、前記ネットワークに接続されて表示装置を備えた前記ネットワーク端末装置群の管理用装置とを備えたネットワーク端末装置の管理プログラムであって、
前記ネットワーク端末装置には所定のトリガ操作に基づき前記管理用装置が読み取り可能な端末識別信号を出力する端末情報出力手段が設けられ、
前記管理用装置には、前記ネットワークに接続された前記ネットワーク端末装置を特定する装置特定情報を取得する端末情報取得手段と、前記端末情報取得手段によって取得された装置特定情報を前記表示装置に一覧的に表示すると共に、前記トリガ操作が行われた前記ネットワーク端末装置からの前記端末識別信号を読み取ることでそのネットワーク端末装置を特定して前記表示装置中の対応するネットワーク端末装置の装置特定情報の表示態様を他のネットワーク端末装置とは異ならせて表示する表示制御手段とを備えるネットワーク端末装置の管理プログラム。
【請求項２】
請求項１のネットワーク端末装置の管理プログラムにおいて、前記管理用装置には、さらに前記ネットワークにおける前記ネットワーク端末装置群の接続関係を取得する接続関係取得手段が備えられ、前記表示制御手段は前記装置特定情報を前記接続関係と共に前記表示装置に表示するネットワーク端末装置の管理プログラム。
【請求項３】
請求項１又は請求項２のネットワーク端末装置の管理プログラムにおいて、さらに前記管理用装置には、前記ネットワーク端末装置からの前記端末識別信号を読み取ることでそのネットワーク端末装置に関連づけられたアプリケーションプログラムを起動するアプリケーション連携手段を備えるネットワーク端末装置の管理プログラム。
【請求項４】
請求項１ないし請求項３のいずれか一項に記載のネットワーク端末装置の管理プログラムにおいて、前記ネットワーク端末装置には、さらに表示部と、前記トリガ操作に基づき前記表示部に所定の表示動作を行わせる表示部制御手段が設けられているネットワーク端末装置の管理プログラム。
【請求項５】
請求項１ないし請求項４のいずれか一項に記載のネットワーク端末装置の管理プログラムにおいて、
さらに管理用装置は、前記表示装置に表示されている前記ネットワーク端末装置の前記装置特定情報を選択指定する選択手段と、選択された前記ネットワーク端末装置に対して表示開始信号を出力する表示指令出力手段とを備え、
前記ネットワーク端末装置は、表示部と、前記表示開始信号を受信したことに基づいて前記表示部の表示態様をそれ以前とは異ならせる表示制御手段とを有するネットワーク端末装置の管理プログラム。
【請求項６】
表示装置を備えた管理用装置を有するネットワークに接続されるネットワーク端末装置であって、前記管理用装置が前記ネットワークに接続された前記ネットワーク端末装置を特定する装置特定情報を取得する端末情報取得手段と、前記端末情報取得手段によって取得された装置特定情報を一覧的に前記表示装置に表示する表示制御手段を備えており、前記ネットワーク端末装置には、所定のトリガ操作に基づき前記管理用装置が読み取ってその端末装置を特定して対応するネットワーク端末装置の装置特定情報の表示態様を他のネットワーク端末装置とは異ならせて表示させるための端末情報出力手段を備えるネットワーク端末装置。
【発明の詳細な説明】
【技術分野】
【０００１】
本発明は、ネットワークに接続されているネットワーク端末装置を管理する管理プログラムに関する。
【背景技術】
【０００２】
例えば、ファクトリオートメーション（ＦＡ）の分野では、多数のネットワーク端末装置（以下、「端末装置」と記載）がネットワークに接続されて運用されている。ネットワーク端末装置としては、生産ラインに沿って並ぶ多数のセンサ等の入力装置、レーザマーカ等の出力装置、それらに接続されたプログラマブルコントローラ等の制御装置等が例示される。これらの端末装置は、ラインの増設や変更に伴い、既存のネットワークに継ぎ足すように増設されることが多いため、必ずしも生産現場では、完璧なネットワーク構成図が準備されているとは限らず、また準備されているとしても十分にアップデートされているとは限らない。
このため、例えば、ＦＡシステムのメンテナンスのために、例えば管理簿（管理データーベース）によって特定の端末装置の耐用年数が超過していることに基づき、その端末装置のメンテナンス・交換を行おうとしても、その装置が生産ラインのどの位置にあるか、ネットワークの構成上どのような位置にあるかが明確に把握できないこともあった。
【０００３】
そこで、例えば、特開平１０−１６４１１３号公報（特許文献１）のように、ネットワークの管理用装置にインストールしたアプリケーションによって、当該ネットワーク内の端末装置を含んだネットワーク構成を検索して表示し、その中から特定の端末装置を選択して検索ボタンをクリックする等のトリガ操作することで、その端末装置に信号を送ってランプの点灯等を行わせる管理プログラムも開発されている。
【先行技術文献】
【特許文献】
【０００４】
【特許文献１】特開平１０−１６４１１３号公報
【発明の概要】
【発明が解決しようとする課題】
【０００５】
しかしながら、ＦＡシステムのメンテナンスは上記のような状況のみに基づき行われるのでなく、様々な状況があり得る。例えば、特定の端末装置において異常が認められるためその交換・修理が必要となったり、特定の端末装置の設定変更が必要となったりする場合がある。このような場合、その端末装置を見ても、正確な管理情報（品番、製造番号、稼働時間、エラー情報、動作設定の情報等）が解らないことがある。
すると、従来の管理プログラムでは、管理装置のところに戻って画面内の端末装置群のうちから、それらしい端末装置（その時点ではレーザセンサ等の機器種類程度しか解っていないことが多い）を選択してトリガ操作を行い、目的の端末装置でランプが点くか否かを確認する。違っているなら、それを繰り返すことで目的の端末装置を特定するという煩雑な作業が必要である。すなわち、従来の管理プログラムでは、端末装置側からの操作によってその端末装置の管理情報を簡単に取得することができなかったのである。
【０００６】
本明細書により開示される技術は、上記事情に鑑みなされたもので、端末装置側からの操作によって管理装置にその端末装置の管理情報を表示できるようにすることを目的とする。
【課題を解決するための手段】
【０００７】
本明細書により開示される技術は、ネットワークに接続された複数台のネットワーク端末装置と、前記ネットワークに接続されて表示装置を備えた前記ネットワーク端末装置群の管理用装置とを備えたネットワーク端末装置の管理プログラムであって、前記ネットワーク端末装置には所定のトリガ操作に基づき前記管理用装置が読み取り可能な端末識別信号を出力する端末情報出力手段が設けられ、前記管理用装置には、前記ネットワークに接続された前記ネットワーク端末装置を特定する装置特定情報を取得する端末情報取得手段と、前記端末情報取得手段によって取得された装置特定情報を前記表示装置に一覧的に表示すると共に、前記トリガ操作が行われた前記ネットワーク端末装置からの前記端末識別信号を読み取ることでそのネットワーク端末装置を特定して前記表示装置中の対応するネットワーク端末装置の装置特定情報の表示態様を他のネットワーク端末装置とは異ならせて表示する表示制御手段とを備えるところに特徴を有する。
【０００８】
また、本明細書により開示される技術は、表示装置を備えた管理用装置を有するネットワークに接続されるネットワーク端末装置であって、前記管理用装置が前記ネットワークに接続された前記ネットワーク端末装置を特定する装置特定情報を取得する端末情報取得手段と、前記端末情報取得手段によって取得された装置特定情報を一覧的に前記表示装置に表示する表示制御手段を備えており、前記ネットワーク端末装置には、所定のトリガ操作に基づき前記管理用装置が読み取ってそのネットワーク端末装置を特定して対応するネットワーク端末装置の装置特定情報の表示態様を他のネットワーク端末装置とは異ならせて表示させるための端末情報出力手段を備えるところに特徴を有する。
【０００９】
このような構成によると、ネットワーク端末装置のトリガ操作によって、対応するネットワーク端末装置が特定され、当該ネットワーク端末装置の装置設定情報を、表示装置中の他の端末とは異なる態様に表示にすることができる。これにより、ネットワーク端末装置側からの操作によってそのネットワーク端末装置の装置設定情報を簡単に取得することができ、装置設定情報から得られる状況に基づいて速やかに交換や修理などの対応を行うことができる。
【００１０】
上記ネットワーク端末装置の管理プログラムとしては次の構成が好ましい。
本明細書により開示されるネットワーク端末装置の管理プログラムは、前記管理用装置には、さらに前記ネットワークにおける前記ネットワーク端末装置群の接続関係を取得する接続関係取得手段が備えられ、前記表示制御手段は前記装置特定情報を前記接続関係と共に前記表示装置に表示する構成としてもよい。
このような構成によると、表示制御手段によって、装置設定情報と共にネットワーク端末装置群の接続関係が表示されるから、他のネットワーク端末装置の関係と合わせて目的のネットワーク端末装置の装置設定情報を確認することができる。
【００１１】
本明細書により開示されるネットワーク端末装置の管理プログラムは、前記管理用装置には、前記ネットワーク端末装置からの前記端末識別信号を読み取ることでそのネットワーク端末装置に関連づけられたアプリケーションプログラムを起動するアプリケーション連携手段を備える構成としてもよい。
このような構成によると、端末識別信号を読み取ることで、管理用装置では、各端末に関連づけられたアプリケーションプログラムが起動するから、目的の端末を確認した後に、各ネットワーク端末装置に関連するアプリケーションプログラムを起動させる場合に比べて、速やかに目的の端末の状況を確認することができる。
【００１２】
本明細書により開示されるネットワーク端末装置の管理プログラムは、前記ネットワーク端末装置には、さらに表示部と、前記トリガ操作に基づき前記表示部に所定の表示動作を行わせる表示部制御手段が設けられている構成としてもよい。
このような構成によると、ネットワーク端末装置において、トリガ操作が確実に行われたことを容易に確認することができる。
【００１３】
本明細書により開示されるネットワーク端末装置の管理プログラムは、管理用装置は、前記表示装置に表示されている前記ネットワーク端末装置の前記装置特定情報を選択指定する選択手段と、選択された前記ネットワーク端末装置に対して表示開始信号を出力する表示指令出力手段とを備え、前記ネットワーク端末装置は、表示部と、前記表示開始信号を受信したことに基づいて前記表示部の表示態様をそれ以前とは異ならせる表示制御手段とを有する構成としてもよい。
このような構成によると、選択手段によって目的のネットワーク端末装置の特定情報を選択することで、ネットワーク端末装置に表示開始信号を送信して、ネットワーク端末装置の表示部における表示態様をそれ以前とは異ならせて表示することができる。これにより、定期点検などを実施するネットワーク端末装置を、管理用装置からも容易に確認することができる。
【発明の効果】
【００１４】
本明細書により開示される技術によれば、ネットワーク端末装置側からの操作によって管理装置にそのネットワーク端末装置の管理情報を表示できるようにすることができる。
【図面の簡単な説明】
【００１５】
【図１】ネットワーク構成を示す模式図
【図２】端末装置のブロック図
【図３】管理用コンピュータ装置における端末装置の検索動作を説明するフローチャート
【図４】検索信号を受信した端末装置の動作を説明するフローチャート
【図５】管理用コンピュータ装置における特定の端末装置を確認する動作を説明するフローチャート
【図６】表示開始信号を受信した端末装置の動作を説明するフローチャート
【図７】端末装置において識別スイッチが操作された時の動作を説明するフローチャート
【図８】管理用コンピュータ装置において識別スイッチが操作された端末装置を識別する動作を説明するフローチャート
【図９】確認信号を受信した端末装置の動作を説明するフローチャート
【図１０】製品の詳細画面の画面例を示す説明図
【図１１】診断結果画面の画面例を示す説明図
【図１２】操作手順画面の画面例を示す説明図
【図１３】サポート画面の画面例を示す説明図
【図１４】パラメータ設定画面の画面例を示す説明図
【図１５】測定値表示画面の画面例を示す説明図
【発明を実施するための形態】
【００１６】
本発明を例えばＦＡシステムにおけるネットワーク端末装置の管理プログラム１００に適用した一実施形態について、図１から図１５を参照して説明する。
図１に記載した端末装置（「ネットワーク端末装置」の一例）１０としては、例えばレーザセンサ等の入力装置、レーザマーカ等の出力装置、これらの装置の制御機器として用いられるプログラマブルコントローラ等を例示できる。
これらの端末装置１０は、図１に示すように、ネットワーク用コネクタ１２を有する通信ポート１１を備えており、ネットワーク用コネクタ１２に通信ケーブルＣを接続して、複数台の端末装置１０が通信ケーブルＣを介して接続されることで、ＦＡシステムのネットワークＮが構成されている。このネットワークＮでは、例えばＴＣＰ／ＩＰの通信プロトコルによりネットワーク機器１３を介して複数台の端末装置１０間で通信が行われて情報が授受され、全体が連携して動作する。
【００１７】
また、このネットワークＮには、図１に示すように、管理用コンピュータ（「管理用コンピュータ」の一例）３０が接続されることで、ネットワーク端末装置の管理プログラム１００が構成されている。
管理用コンピュータ３０は、ネットワークＮに通信ケーブルＣを介して接続される通信ユニット３１と、ＣＰＵ３２と、表示装置３３と、表示装置３３を制御する表示制御部３４と、動作用のプログラムを記憶した記憶装置３５とを備える一般的な構成である。
【００１８】
通信ユニット３１は、ネットワーク用コネクタ３１Ａを有しており、このネットワーク用コネクタ３１Ａに通信ケーブルＣを接続することで管理用コンピュータ３０がネットワークＮに接続されている。
ＣＰＵ３２は、端末装置１０からネットワークＮに出力されるＭＡＣアドレス、ＩＰアドレス、機器の種類や識別符号などの装置特定情報ＩＤを、通信ユニット３１を介して受信したことに基づいて、記憶装置３５や表示制御部３４への指示を行う。
表示制御部３４は、ＣＰＵ３２からの指示に基づいて、表示装置３３の表示動作を制御する。
【００１９】
表示装置３３は、例えば、液晶などから構成された表示出力装置であり、表示制御部３４の制御によって画像などを表示出力する。
記憶装置３５には、管理用プログラムが記憶されている。管理用プログラムは、ＣＰＵ３２からの指示に基づいて記憶装置３５から読み出されて起動され、ＣＰＵ３２の指示により、表示制御部３４によって表示装置３３に出力される。表示装置３３に出力された管理用プログラムの管理画面５０は、図１に示すように、ＣＰＵ３２が受信した装置特定情報ＩＤに基づいて構成されており、管理画面５０には、装置特定情報ＩＤを有する管理用コンピュータアイコン５１および端末装置アイコン５２が上下二段でそれらの接続関係を示すツリーとして一覧的に表示される。管理用コンピュータアイコン５１は管理用コンピュータ３０の装置特定情報ＩＤと共に上段の中央に表示され、各端末装置アイコン５２は、下段の位置に、各端末装置１０の装置特定情報ＩＤと共に、複数台（本実施形態では４台）が横並びに表示されるようになっている。
【００２０】
なお、管理用コンピュータ３０及び各端末装置１０の接続関係は、例えば周知のＤＨＣＰと同様な手法で取得することとしており、各端末装置１０のＩＰアドレス、ＭＡＣアドレス、機器の種類、識別符号等の装置特定情報ＩＤと共に記憶装置３５にテーブルとして記憶されている。これにより、ＣＰＵ３２が接続関係取得手段として機能することで、同一のサブネット内に何れの端末装置１０が接続されているかなど、端末装置群の接続関係を装置特定情報ＩＤと共に、例えば、ツリー表示することができるようになっている。
【００２１】
さて、端末装置１０は、図１および図２に示すように、表示部１４と、入力部１５と、制御部１６とを備えて構成されている。
入力部１５は、図示しない識別スイッチを含んで構成され、その識別スイッチが押圧されると、入力部１５から制御部１６に押圧信号が送信されるようになっている。
表示部１４は、例えば、ＬＥＤなどのランプ（図示せず）を有しており、制御部１６の指示によってランプを点灯表示させる。
【００２２】
制御部１６は、入力部１５から押圧信号を受信すると、表示部１４のランプを明滅させると共に、制御部１６において識別フラグＦを０から１にする。また、制御部１６は、通信ポート１１を通して後述する検索信号を受信すると、表示部１４のランプを明滅させると共に、検索応答信号をネットワーク上に出力する。また、制御部１６は、通信ポート１１を通して後述する表示開始信号を受信した場合にも、表示部１４のランプを所定のパターンで点灯させる。
【００２３】
一方、管理用コンピュータ３０で起動された管理プログラムの管理画面５０には、管理用コンピュータアイコン５１に設けられた検索ボタン５３と、端末装置アイコン５２毎に設けられた識別ボタン５４と、各識別ボタン５４に隣接して設けられた識別表示部５５と、各ボタンを選択する矢印形状の選択ポインタ（「選択手段」の一例）５６とを有している。なお、選択ポインタは、矢印形状に限らず、指形状など公知の選択ポインタであってもよい。
【００２４】
検索ボタン５３は、キーボードやマウスなどの入力装置（図示せず）によって選択ポインタ５６を操作することにより、選択指定可能とされている。検索ボタン５３を選択指定すると、ＣＰＵ３２において、図３のフローに示す制御が実行される。
管理画面５０の管理用コンピュータアイコン５１における検索ボタン５３が押圧されると（Ｓ１）、ＣＰＵ３２から通信ユニット３１を通じてネットワークＮ上に検索信号をブロードキャスト送信する（Ｓ２）。
【００２５】
一方、管理用コンピュータ３０の管理用プログラムに対応した端末装置１０の制御部１６は、検索信号を受信すると（Ｓ１１）、図４のフローに示すように、ネットワークＮ上に検索応答信号（Ｓ１２）を出力すると共に、表示部１４のランプを所定のパターンで点灯させる（Ｓ１３）。
管理用コンピュータ３０のＣＰＵ３２は、図３に示すように、端末装置１０から出力された検索応答信号を受信すると（Ｓ３）、表示装置３３の管理画面５０において、対応する端末装置アイコン５２の識別表示部５５を所定の点灯パターンに変更させる（Ｓ４）。
【００２６】
すなわち、管理用プログラムの管理画面５０において管理用コンピュータアイコン５１の検索ボタン５３を押圧すると、管理用コンピュータ３０のＣＰＵ３２から検索信号が送信され、管理用プログラムに対応している各端末装置１０から、検索応答信号が出力される。これにより、管理用プログラムの管理画面５０における各端末装置アイコン５２の識別表示部５５が所定の点灯パターンに変更すると共に、管理用プログラムに対応する端末装置１０の表示部１４におけるランプが所定のパターンで点灯し、管理用プログラムに対応している端末装置１０と、管理用プログラムに対応していない端末装置とを判別できるようになっている。
【００２７】
各端末装置アイコン５２の識別ボタン５４は、検索ボタン５３と同様に、キーボードやマウスなどの入力装置（図示せず）によって選択ポインタ５６を操作することにより、選択指定可能とされている。
特定の端末装置アイコン５２の識別ボタン５４を選択ポインタ５６によって選択指定すると、ＣＰＵ３２において、図５のフローに示す制御が実行される。
【００２８】
識別ボタン５４が選択指定されると（Ｓ５）、ＣＰＵ３２が、選択指定された端末装置アイコン５２の識別表示部５５を所定の点灯パターンに変更させる（Ｓ６）共に、ＣＰＵ３２から対応する端末装置１０に対して表示開始信号をネットワークＮ上に送信する（Ｓ７）。つまり、ＣＰＵ３２が表示指令出力手段として機能する。なお、ここで管理用コンピュータ３０における所定のパターンは、記憶装置３５にデータとして予め格納されている表示制御部３４が実行する表示点灯のタイミングを規定したデータにより実行される。
対応する端末装置１０の制御部１６は、通信ポート１１を通して表示開始信号を受信すると（Ｓ１４）、図６のフローに示すように、表示部１４のランプをそれ以前とは異なる所定のパターンで点灯する（Ｓ１５）。なお、端末装置１０における所定のパターンは、端末装置１０における図示しない記憶装置にデータとして予め格納されている制御部１６が実行する表示点灯のタイミングを規定したデータによって実行される。
【００２９】
したがって、管理用プログラムの管理画面５０において特定の端末装置アイコン５２の識別ボタン５４を選択ポインタ５６によって選択指定すると、管理用コンピュータ３０のＣＰＵ３２から表示開始信号が送信され、対応する端末装置１０の制御部１６が表示開始信号を受信することで、対応する端末装置１０における表示部１４のランプが所定のパターンで点灯する。これにより、複数の端末装置１０の中から目的の端末装置１０を容易に見つけ出すことができる。つまり、ＣＰＵ３２が表示指令出力手段として機能し、制御部１６が表示制御手段として機能する。
【００３０】
次に、端末装置１０における入力部１５の識別スイッチを押圧操作した際の管理プログラムの動作について説明する。
各端末装置１０は、図７のフローに示すように、入力部１５の識別スイッチを押圧するトリガ操作が行われると（Ｓ２１）、入力部１５から制御部１６に押圧信号が送信されることで、制御部１６が表示部１４のランプを所定のパターンで点灯させる（Ｓ２２）。また、制御部１６において識別フラグＦを０から１にする（Ｓ２３）。つまり、制御部１６が、表示部制御手段として機能する。
【００３１】
一方、管理用プログラムは、図８のフローに示すように、確認信号を各端末装置に対してブロードキャスト送信し（Ｓ３１）、その応答としての端末識別信号を受信する（Ｓ３２Ａ）と同時に各端末装置１０の識別フラグＦが１となっているか、所定の周期で確認する（Ｓ３２Ｂ）。
端末装置１０の制御部１６は、図９のフローに示すように、確認信号を受信し（Ｓ２４）、ネットワークＮ上に端末識別信号を送信する（Ｓ２６）。
【００３２】
管理用コンピュータ３０において、端末識別信号を受信し（Ｓ３２Ａ）、受信した端末識別信号の識別フラグＦが１となっていることが確認された場合（Ｓ３２Ｂ）、ＣＰＵ３２が管理用プログラムの管理画面５０において、端末識別信号に対応する端末装置アイコン５２の識別表示部５５を、他の端末装置とは異なる所定の点灯パターンに変更させる（Ｓ３３）。
また、ＣＰＵ３２は、識別表示部５５の表示を変更させた後、端末識別信号に基づいて、記憶装置３５から対応するアプリケーションプログラムを読み出して起動させる。つまり、ＣＰＵ３２がアプリケーション連携手段として機能する。
【００３３】
ここで、動作するアプリケーションプログラムとしては、例えば、各端末装置１０の各種設定を行うための設定プログラム、各端末装置１０のステータスを表示するためのステータスプログラム、各端末装置１０の測定値を表示する測定値表示プログラム、各端末装置１０の診断結果を表示する診断プログラム、各端末装置１０の操作手順を表示する操作手順表示プログラム、各端末装置１０の情報を外部のサポートセンタなどに送信するための外部送信プログラム等があり、これらは記憶装置３５に記憶されている。
【００３４】
ステータスプログラムは、端末装置１０の基本情報、通信状態などを表示するプログラムである。ステータスプログラムは、ＣＰＵ３２によって記憶装置３５から読み出されて起動されると、管理用コンピュータ３０の表示装置３３上に、図１０に示すような製品の詳細画面６０を構成する。
この製品の詳細画面６０には、上から基本情報、通信情報、動作情報などの複数の項目６１が表示される。基本情報の項目６１Ａには、装置名、製品名、製品番号などが表示され、動作情報の項目６１Ｂには、動作状態、通知情報などが表示される。
【００３５】
つまり、端末装置１０を見ても、正確な管理情報（品番、製造番号等）が解らない場合でも、端末装置１０の入力部１５の識別スイッチを押圧するトリガ操作を行うことで、管理用コンピュータ３０の表示装置３３に、その端末装置１０のステータス情報や管理情報を出力することができる。これにより、目的の端末装置１０を速やかに特定し、作業時間を飛躍的に短縮することができる。
【００３６】
診断プログラムは、端末装置１０の診断情報を行うと共に、その結果を表示するプログラムであって、診断プログラムも、ステータスプログラムと同様に、ＣＰＵ３２によって記憶装置３５から読み出されて起動される。診断プログラムによって端末装置１０の診断が完了すると、図１１に示すように、診断結果画面７０が表示される。
【００３７】
診断結果画面７０には、上から基本情報、診断結果などの複数の項目７１が表示される。基本情報の項目７１Ａには、装置名、製品名、製品番号などが表示され、診断結果の項目７１Ｂには、エラーＮｏ、その内容が表示され、異常が発生している時には、その対処方法などが表示される。これにより、端末装置１０に異常が発生した場合においても、その端末装置１０のエラー情報を管理用コンピュータ３０の表示装置３３に簡単に表示することができる。
【００３８】
操作手順表示プログラムは、各端末装置の操作手順書を表示するプログラムである。操作手順表示プログラムは、ステータスプログラムと同様な方法で起動され、管理用コンピュータ３０の表示装置３３上に、図１２に示すような操作手順画面８０を構成する。
【００３９】
操作手順画面８０には、操作手順書のオンラインマニュアル８１が表示されるようになっており、近くに操作手順書がなくても、すぐに操作手順を確認することができる。したがって、操作が分からなくなった端末装置１０の入力部１５の識別スイッチを押圧するトリガ操作を行うことで、オンラインマニュアル８１を表示し、速やかに端末装置１０の操作を開始することができる。
【００４０】
外部送信プログラムは、外部のサポートセンタなどにサポート依頼を行うためのプログラムであって、外部送信プログラムも、ステータスプログラムと同様な方法で起動される。外部送信プログラムが起動すると、図１３に示すようなサポート画面８５が構成される。
【００４１】
サポート画面８５の上部には、サポートの対象となる端末装置１０が表示される機器表示部８６が設けられており、機器表示部８６の下方には、サポート内容選択欄８７、詳細記述欄８８が設けられている。サポート内容選択欄８７のサポート内容を選択指定し、詳細記述欄８８に必要事項を記入した後、詳細記述欄８８の下方に設けられた送信ボタン８９により、サポートセンタにサポート内容を送信できるようになっている。
したがって、サポートが必要な端末装置１０の入力部１５の識別スイッチを押圧するトリガ操作を行うことで、管理用コンピュータ３０の表示装置３３に、サポート画面８５を表示させ、簡単にサポート依頼を行うことができる。
【００４２】
設定プログラムは、端末装置１０のパラメータや動作条件などを変更するプログラムである。設定プログラムによって構成されるパラメータ設定画面９０は、タブレット端末など携帯可能な管理用コンピュータ（図示せず）の表示装置に表示される設定画面を例示している（図１４を参照）。
【００４３】
このパラメータ設定画面９０には、レーザ変位センサのパラメータ設定を行うための複数の設定項目９１が上下に並んで配置されている。複数の設定項目９１のうち、例えば、フィルタの種類を設定する場合には、上下中央に配置されたフィルタ選択の項目９１Ａを選択指定し、設定項目９１の下方に設けられた適用ボタン９２によってフィルタを決定することができるようになっている。これにより、パラメータ設定が必要な端末装置１０の入力部１５の識別スイッチを押圧するトリガ操作を行うことで、容易にパラメータ設定を行うことができる。
【００４４】
測定値表示プログラムは、設定プログラムと同様に、タブレット端末などの携帯可能な管理用コンピュータ（図示せず）の表示装置に表示される測定値表示画面９５である（図１５を参照）。
この測定値表示画面９５には、上部に測定値９６が表示され、下方に時間経過に伴う測定値が測定グラフ９７によって表示されるようになっている。つまり、測定値を確認する必要がある端末装置１０の入力部１５の識別スイッチを押圧するトリガ操作を行うことで、測定値や時間経過に伴う測定値結果を容易に簡単に確認することができる。
【００４５】
本実施形態は、以上のような構成であって、続いて、本実施形態の作用および効果について説明する。
例えば、管理コンピュータ３０が設置されている管理場所と端末装置１０が設置されている作業場所とが遠く離れて設置されており、作業場所において特定の端末装置１０において異常が認められるためその交換・修理が必要となった場合、その端末装置１０を見ても、正確な管理情報（品番、製造番号、稼働時間、エラー情報、動作設定の情報等）が分からない場合がある。
【００４６】
ところが、本実施形態によると、例えば、作業場所の作業者が、図７のフローに示すように、端末装置１０において、入力部１５の識別スイッチを押圧するトリガ操作を行うと（Ｓ２１）、入力部１５から制御部１６に押圧信号が送信され、制御部１６が表示部１４のランプを所定のパターンで点灯させる（Ｓ２２）と共に、制御部１６の識別フラグＦが０から１に設定される（Ｓ２３）。
そして、識別スイッチのトリガ操作を行った後、管理場所の作業者が管理用コンピュータ３０において、管理用プログラムを起動すると、図８のフローに示すように、管理用コンピュータ３０から、確認信号が各端末装置に対してブロードキャスト送信される（Ｓ３１）。
【００４７】
トリガ操作が行われた端末装置１０の制御部１６は、図９のフローに示すように、確認信号を受信し（Ｓ２４）、ネットワークＮ上に端末識別信号を送信する（Ｓ２６）。
そして、管理用コンピュータ３０の管理用プログラムが、確認信号の応答としての端末識別信号を受信し（Ｓ３２Ａ）し、端末装置１０の識別フラグＦが確認される（Ｓ３２Ｂ）。
【００４８】
そして、管理用コンピュータ３０において、ＣＰＵ３２が、確認信号の応答として端末識別信号を受信すると（Ｓ３２Ａ）し、端末装置１０の識別フラグＦが１となっていることを確認すると（Ｓ３２Ｂ）、ＣＰＵ３２が管理用プログラムの管理画面５０において、対応する端末装置アイコン５２の識別表示部５５が所定の点灯パターンに表示を変更する（Ｓ３３）。
また、ＣＰＵ３２が、識別表示部５５を所定の点灯パターンに表示を変更させた後、端末識別信号に基づいて、記憶装置３５からステータスプログラムおよび診断プログラムを起動し、製品の詳細画面６０および診断結果画面７０が表示される（Ｓ３４）。
【００４９】
すなわち、本実施形態によると、作業場所の作業者が端末装置１０を見ても、正確な管理情報（品番、製造番号等）が解らない場合でも、端末装置１０の入力部１５の識別スイッチを押圧するトリガ操作を行うことで、管理場所の作業者がモニタする管理用コンピュータ３０の表示装置３３に、その端末装置１０のステータス情報、管理情報、診断結果などを簡単に表示することができる。これにより、目的の端末装置１０を速やかに特定し、端末装置１０の交換や修理における作業時間を飛躍的に短縮することができる。
また、本実施形態によると、端末装置１０の入力部１５の識別スイッチによりトリガ操作が行われたことが確定すると、その端末装置１０の表示部１４のランプが所定のパターンで点灯するから、トリガ操作が確実に行われたことを容易に確認することができる。
【００５０】
また、本実施形態によると、管理場所の作業者が管理用コンピュータ３０の管理画面５０において、特定の端末装置アイコン５２の識別ボタン５４を選択ポインタ５６によって選択指定すると（Ｓ５）、ＣＰＵ３２が、識別ボタン５４が押圧された端末装置アイコン５２の識別表示部５５を、所定の点灯パターンに表示を変更させる（Ｓ６）。また、ＣＰＵ３２から対応する端末装置１０に対して表示開始信号が送信（Ｓ７）され、対応する端末装置１０の制御部１６が表示開始信号を受信すると（Ｓ１４）、表示部１４のランプを所定のパターンで点灯させる（Ｓ１５）。これにより、管理場所の作業者が管理用コンピュータ３０の管理プログラムを用いることで、作業場所の作業者に定期点検などを実施する端末装置１０を容易に伝えることができる。
なお、本実施形態では、管理コンピュータ３０が管理場所に設置され、端末装置１０が作業場所に設置された例を示したが、モバイル型コンピュータを管理コンピュータとして用いることで、作業場所においてモバイル型の管理コンピュータと、端末装置とを互いに確認することもできる。
【００５１】
＜他の実施形態＞
本明細書で開示される技術は上記記述及び図面によって説明した実施形態に限定されるものではなく、例えば次のような実施形態も技術的範囲に含まれる。
（１）上記実施形態では、管理プログラムの管理画面５０において、各端末装置アイコン５２と管理用コンピュータアイコン５１とをツリー表示で構成した。しかしながら、これに限らず、管理プログラムの管理画面において、各端末装置アイコンと管理用コンピュータアイコンとを一覧表形式で表示してもよい。
（２）上記実施形態では、端末装置１０において、入力部１５の識別スイッチを押圧するトリガ操作を行うと、管理用プログラムの管理画面５０に関連するアプリケーションプログラムが表示される構成とした。しかしながら、これに限らず、端末装置１０において、入力部１５の識別スイッチを押圧するトリガ操作を行うと、管理用プログラムの管理画面において、対応する端末装置アイコンの識別表示部が所定の点灯パターンに表示を変更し、その表示されている端末装置アイコンを選択指定することで、アプリケーションプログラムが表示される構成であってもよい。
【００５２】
（３）上記実施形態では、端末装置１０において、入力部１５の識別スイッチを押圧するトリガ操作を行うと、表示部１４のランプが所定のパターンで点灯する構成とした。しかしながら、これに限らず、端末装置１０において、入力部１５の識別スイッチを押圧するトリガ操作を行った際に、管理用プログラムの管理画面において、対応する端末装置アイコン確認ができればよく、表示部１４のランプが所定のパターンで点灯しなくてもよい。
（４）上記実施形態では、管理用コンピュータ３０と各端末装置１０とを通信ケーブルＣおよびネットワーク機器１３によって物理的に接続することで、ネットワークＮを構成とした。しかしながら、これに限らず、管理用コンピュータや端末装置が無線によってネットワークに接続されてもよい。
（５）上記実施形態では、管理用コンピュータ３０と各端末装置１０とを、ＴＣＰ／ＩＰ通信プロトコルを利用して互いに通信可能なネットワークＮを構成した。しかしながら、これに限らず、管理用コンピュータと端末装置とをシリアル通信又はＵＳＢ等を利用して互いに通信可能なネットワークを構成してもよい。
【符号の説明】
【００５３】
１０：端末装置（ネットワーク端末装置）
１４：表示部
１６：制御部（端末情報出力手段、表示部制御手段）
３０：管理用コンピュータ（管理用装置）
３２：ＣＰＵ（端末情報取得手段、表示制御手段、接続関係取得手段、アプリケーション連携手段、表示指令出力手段）
３３：表示装置
５６：選択ポインタ（選択手段）
１００：ネットワーク端末装置の管理プログラム
Ｎ：ネットワーク
【図１】
2015197764.tif 000003
【図２】
2015197764.tif 000004
【図３】
2015197764.tif 000005
【図４】
2015197764.tif 000006
【図５】
2015197764.tif 000007
【図６】
2015197764.tif 000008
【図７】
2015197764.tif 000009
【図８】
2015197764.tif 000010
【図９】
2015197764.tif 000011
【図１０】
2015197764.tif 000012
【図１１】
2015197764.tif 000013
【図１２】
2015197764.tif 000014
【図１３】
2015197764.tif 000015
【図１４】
2015197764.tif 000016
【図１５】
2015197764.tif 000017